(57)【要約】【課題】  窓ガラスの結露防止用ヒータにおいて、各種異なる横幅の窓ガラスへの対応が可能なヒータを提供することを目的とする。【解決手段】  第１帯板状体２ａと第３帯板状体２ｂとをその左端部において第１主コネクタ部２ｃに固定すると共に右端部において第１従コネクタ部２ｄに固定して形成した第１発熱ユニット２と、第２帯板状体３ａと第４帯板状体３ｂとをその右端部において第２主コネクタ部３ｃに固定すると共に左端部において第２従コネクタ部３ｄに固定して形成した第２発熱ユニット３とからなり、前記第１従コネクタ部２ｄが有する透孔２ｄ１、２ｄ２に前期第２帯板状体３ａと前記第４帯板状体３ｂを摺動自在に挿通すると共に前記第２従コネクタ部３ｄの透し孔にも前記第１帯板状体２ａと第３帯板状体２ｂを摺動自在に挿通して、長手方向の長さの調節が可能なヒータ１を形成した。【選択図】        図１
2006173087.tif 000002
【特許請求の範囲】
【請求項１】
間隙を有して平行に配置された複数本の帯板状体からなる発熱体の複数組を、長手方向への移動可能に互いに平行に配置して形成したヒータ。
【請求項２】
第１帯板状体と第３帯板状体とをその左端部において第１主コネクタ部に固定すると共に右端部において第１従コネクタ部に固定し、前記第１帯板状体と前記第３帯板状体との間に位置する第２帯板状体と該第３帯板状体の外方に位置する第４帯板状体とをその右端部において第２主コネクタ部に固定すると共に左端部において第２従コネクタ部に固定し、前記第１従コネクタ部に透孔を形成して該透孔に前記第２帯板状体と前記第４帯板状体を摺動自在に挿通すると共に前記第２従コネクタ部に透孔を形成して該透孔に前記第１帯板状体と前記第３帯板状体を摺動自在に挿通した請求項１に記載のヒータ。
【請求項３】
筒状の第１発熱体と該第１発熱体内を移動可能に挿通する棒状或いは筒状の第２発熱体とからなるヒータ。
【請求項４】
前記第２発熱体が挿通する前記第１発熱体の口元部に前記ヒータの発熱量制御部を配設した請求項３に記載のヒータ。
【請求項５】
細長の略Ｕ字状に形成された発熱体の２組を互いに逆向きに係合させて全長を伸縮可能に形成したヒータ。
【請求項６】
前記発熱体を断面が縦長の扁平な帯板状に形成し、該発熱体のＵ字状の曲がり部と両先端部の間の該発熱体の下端部に通気用の切欠部を形成した請求項５に記載のヒータ。
【発明の詳細な説明】
【技術分野】
【０００１】
本発明は、室外に面した窓ガラス等に結露が生ずるのを防止したり、或いは窓際のコールドドラフトを防止したりするのに最適なヒータに関する。
【背景技術】
【０００２】
従来の暖房設備は、室内に配置されたエアコンの室内器やストーブ等からなり、室外に面する窓ガラス等にはカーテンを吊り下げるなどして、窓ガラスを通して寒気が室内に侵入するのを防止するようにしている。
【０００３】
しかし、このように窓ガラスに接してカーテンがあると、室内の空気中の水蒸気が該ガラス面に凝着して結露し、前記カーテンが濡れて不具合であるという問題があった。
【０００４】
そこで複数枚の帯板状の発熱体を隙間を介して平行に配列すると共に、長手方向を水平方向にして両端部を可搬性の枠に固定し、これら発熱体間の隙間の長手方向に沿う両開口縁の一方を空気導入口とし、他方を熱風放出口とした結露防止ヒーターを、窓ガラスの下部にガラス面に沿うように配置して窓ガラスの結露を防止するようにしたヒータが知られている（例えば特許文献１参照。）。
【特許文献１】特開２００３−１０６６７７号公報
【発明の開示】
【発明が解決しようとする課題】
【０００５】
しかし前記特許文献１の結露防止用ヒータによれば、その長手方向の長さが一定であるので、該ヒータが設置される窓ガラスの幅が種々ある場合には、それぞれの幅に応じた長手方向の長さのヒータを用意せねばならず、製作上手間がかかる問題点があった。
【０００６】
本発明はこのような問題点を解消し、種々の幅の窓ガラス等にも容易に適用できるヒータを提供することを目的としている。
【課題を解決するための手段】
【０００７】
この目的を達成すべく本発明は間隙を有して平行に配置された複数本の帯板状体からなる発熱体の複数組を、長手方向への移動可能に互いに平行に配置して形成した。
【発明の効果】
【０００８】
本発明によればヒータ自体をその長手方向に伸縮可能に形成したので、窓ガラス等の幅に応じてヒータ自体の長手方向の長さを調整でき、かくて種々の幅の窓ガラス等に容易に適用でき、製作上も簡単になる効果を有する。
【発明を実施するための最良の形態】
【０００９】
本発明の最良の実施の形態の各実施例を以下に説明する。
【実施例１】
【００１０】
本発明の実施例１を図１乃至図３により説明する。
【００１１】
図１は本実施例のヒータ１の斜視図であり、ヒータ１は第１発熱ユニット２と第２発熱ユニット３とからなり、該第１発熱ユニット２は互に平行な第１帯板状体２ａと、第３帯板状体２ｂと、これら第１第３帯板状体２ａ、２ｂをその左端部で固定した第１主コネクタ部２ｃと、これら第１第３帯板状体２ａ、２ｂをその右端部で固定した第１従コネクタ部２ｄとかなる。又、前記第２発熱ユニット３は互に平行な第２帯板状体３ａと、第４帯板状体３ｂと、これら第２第４帯板状体３ａ、３ｂをその右端部で固定した第２主コネクタ部３ｃと、これら第２第４帯板状体３ａ、３ｂをその左端部で固定した第２従コネクタ部３ｄとからなる。
【００１２】
前記各帯板状体２ａ、２ｂ、３ａ、３ｂは、外周部にアルミニウム等の熱の良導体を用いて偏平な形状に形成されており、内部には絶縁された電熱線が長手方向に渡って埋設されている。
【００１３】
前記第１主コネクタ部２ｃ及び第２主コネクタ部３ｃは外部の電源と接続して、前記各帯板状体２ａ、２ｂ、又は３ａ、３ｂに通電すると共に通電量の制御も可能である。
【００１４】
尚、これら第１第２主コネクタ部２ｃ、３ｃには、通電の有無を示すランプ２ｃ１又は３ｃ１がそれぞれ付設されている。
【００１５】
前記第１従コネクタ部２ｄの斜視図を図２に示した。該第１従コネクタ部２ｄには前記第１第３帯板状体２ａ、２ｂの各右端部が固定されていると共に、前記第２第４帯板状体３ａ、３ｂが摺動自在に挿通する透孔２ｄ１、２ｄ２を有している。
【００１６】
尚、前記第２従コネクタ部３ｄには前記第２第４帯板状体３ａ、３ｂの各左端部が固定されていると共に前記第１第３帯板状体２ａ、２ｂが摺動自在に挿通する透孔（図示せず）を有しており、前記第１従コネクタ部２ｄと同様の構造を有している。
【００１７】
次に前記実施例１のヒータ１の使用方法及び作用について説明する。
【００１８】
ヒータ１は図３に示す如く、窓ガラスＷの枠体の下辺部或いはこれに隣接する床部に該窓ガラスＷに沿って取付ける。
【００１９】
このとき、該窓ガラスＷの幅の長さに応じて第１発熱ユニット２と第２発熱ユニット３とを互いにスライドしてヒータ１の長手方向の長さを調整し、該ヒータ１が窓ガラスＷの幅方向の全長に適合するようにしてから、該ヒータ１の第１第２主コネクタ部２ｃ、３ｃにより該ヒータ１を設置固定する。
【００２０】
かくて、ヒータ１の発熱量を制御することにより窓ガラスＷの全面にわたり結露が効果的に防止され、又、窓ガラス側の暖房により外気による室内の温度低下が防止され、室内の主暖房の放熱を低くすることができて省エネルギーに連ながる。
【実施例２】
【００２１】
本発明の実施例２を図４及び図５により説明する。
【００２２】
図４は本実施例のヒータ１１の斜視図であり、図５は、そのII−II線截断面図である。
【００２３】
ヒータ１１は第１発熱体１２と第２発熱体１３とこれら第１第２発熱体１２、１３の発熱量制御部１４と支持体１５とからなる。
【００２４】
前記第１発熱体１２は断面が長円環状の２本の長い筒状体１２ａ、１２ａを互いに平行に配置して形成され、該筒状体１２ａはアルミニウム等の熱の良導体からなると共に該筒状体１２ａ内の上下の位置に絶縁された電熱線１２ｂが該筒状体１２ａの長手方向に埋設されている。
【００２５】
又、前記第２発熱体１３は断面が長円形状の２本の長い棒状体１３ａ、１３ａを互いに平行に配置して形成され、該棒状体１３ａはアルミニウム等の熱の良導体からなると共に、該棒状体１３ａ内の上下の位置に絶縁された電熱線１３ｂが該棒状体１３ａの長手方向に埋設されている。
【００２６】
そして前記第２発熱体１３は、前記第１発熱体１２の筒状体１２ａの中空部内を摺動可能に挿通している。
【００２７】
このように各２本の平行に配置された発熱手段からなる第１発熱体１２と第２発熱体１３は、一体に組み合わされて伸縮可能に形成され、その左右の端部において前記支持体１５によって支持固定される。
【００２８】
又、前記第１発熱体１２において前記第２発熱体１３側の端部即ち口元部の外周に止着体１７を係止し、該止着体１７に前記発熱量制御部１４と制御信号の受信部１８を設けた。
【００２９】
次に実施例２のヒータ１１の使用方法及び作用について説明する。
【００３０】
本実施例のヒータ１１も、前記実施例１のヒータ１と同様に、窓ガラスの枠体の下辺部或いはこれに隣接する床部に該窓ガラスに沿って取付け、該窓ガラスの幅の長さに応じて第２発熱体１３を第１発熱体１２から引き出したり或いは押し込めたりしてヒータ１１の長手方向の長さを調整し、支持体１５により該ヒータ１１を設置固定する。
【００３１】
そして該ヒータ１を電源に接続してからリモートスイッチを操作することによりその操作制御信号を受信部１８で受信し、発熱量制御部１４によりヒータ１１の発熱量を制御する。
【００３２】
かくて、該ヒータ１１の発熱により窓ガラスの全面にわたり結露が効率的に防止され、又窓ガラス側の暖房により外気による室内の温度低下が防止され、室内の主暖房の放熱を低くすることができ、省エネルギーになる。
【００３３】
更に、前記発熱量制御部１４の受信部１８がヒータ１１の中心側に位置するので、側方にあるカーテン等が邪魔にならず、リモートスイッチから信号を受信部１８において確実に受信する。
【００３４】
尚、この実施例においては、筒状体の第１発熱体１２と棒状体の第２発熱体１３の例を示したがこれに限るものでなく、発熱体のいずれも筒状体の場合或いは３以上の発熱体の組合せの場合のいずれでもよく、又筒状体及び棒状体の断面形状が円形以外に方形等のいずれの形状であってもよい。
【実施例３】
【００３５】
本発明の実施例３を図６及び図７により説明する。
【００３６】
図６は本実施例のヒータ２１の平面図であり、図７は前記ヒータ２１の側面図である。
【００３７】
ヒータ２１は、少許の間隙を有して平行に配置された２本の帯板状体２２ａからなる発熱体２２を２組、長手方向への移動可能に互いに平行に配置して形成されている。
【００３８】
前記帯板状体２２ａも縦長の扁平な形状でアルミニウム等の熱良導体からなり、内部には絶縁された電熱線等の発熱部が長手方向に埋設されており、各帯板状体２２ａの両端部には、下方へ突出する脚部２２ｃ、２２ｃを突設し、これら脚部２２ｃ、２２ｃ間の発熱体２２の下側部に通気用の切欠部２２ｄが形成されている。
【００３９】
前記発熱体２２は、各２枚の帯板状体２２ａを各々両端部においてコネクタ２２ｂで接続して、一体となるように形成されている。
【００４０】
本実施例のヒータ２１の使用方法及び作動も前記実施例１又は前記実施例２におけるのと同様である。
【００４１】
尚、本実施例では、ヒータ２１を形成する発熱体２２の数を２組としたが、これは発熱体２２を３組以上組み合わせてヒータ２１の調整長さが大となるようにしてもよい。
【００４２】
又、前述のいずれの実施例においても前記ヒータの伸縮長さに応じて伸縮するケースを用意し、ヒータの設置に際して該ヒータを該ケース内に収容して設置し、該ヒータに触れて火傷するのを防止する必要もある。
【００４３】
ここで伸縮するケースは、断面の大きさの異なる複数の筒状体を相互に挿通してその挿通個所の長さを調整するように形成されている。
【００４４】
そして該ケースにおいて、前記受信部８に対向する個所に透孔を形成して操作制御信号の受信を可能にしておく。
【産業上の利用可能性】
【００４５】
本発明は、主として一般建物における窓ガラス等の結露防止用に使用される。
【図面の簡単な説明】
【００４６】
【図１】実施例１のヒータの斜視図である。
【図２】同上ヒータの一部、第１従コネクタ部の斜視図である。
【図３】同上ヒータの使用方法を示す説明図である。
【図４】実施例２のヒータの斜視図である。
【図５】同上実施例２ヒータのII−II線截断面図である。
【図６】実施例３のヒータの平面図である。
【図７】同上実施例３のヒータの側面図である。
【符号の説明】
【００４７】
１、１１、２１                    ヒータ
２、３、１２、１３、２２、        発熱体
２ａ、２ｂ、３ａ、３ｂ、２２ａ    帯板状体
２ｃ、３ｃ                        主コネクタ部
２ｄ、３ｄ                        従コネクタ部
２ｄ１、２ｄ２                    透孔
１４                              発熱量制御部
２２ｄ                            通気用の切欠部
【図１】
2006173087.tif 000003
【図２】
2006173087.tif 000004
【図３】
2006173087.tif 000005
【図４】
2006173087.tif 000006
【図５】
2006173087.tif 000007
【図６】
2006173087.tif 000008
【図７】
2006173087.tif 000009